(57)【要約】【課題】画像として表されている情報のコンピュータへの入力作業の効率を向上することができる情報入力支援プログラム及び情報入力支援装置を提供することを課題とする。【解決手段】コンピュータを、情報を入力させる入力欄を含む入力画面を表示手段に表示させ、入力画面上で選択された入力欄を特定する入力画面制御手段７１と、スキャン画像を表示手段に表示させるスキャン画像表示手段７２と、入力画面上の入力欄とスキャン画像上の項目とを対応付ける第１の対応付け手段と、特定した入力欄に対応するスキャン画像上の項目を第１の対応付け手段により特定して、スキャン画面上の項目を強調表示する強調表示手段７５として機能させることにより上記課題を解決する。【選択図】  図４
2011248592.tif 000002
【特許請求の範囲】
【請求項１】
コンピュータを、
情報を入力させる入力欄を含む入力画面を表示手段に表示させ、該入力画面上で選択された入力欄を特定する入力画面制御手段と、
スキャン画像を前記表示手段に表示させるスキャン画像表示手段と、
前記入力画面上の入力欄と前記スキャン画像上の項目とを対応付ける第１の対応付け手段と、
前記特定した入力欄に対応する前記スキャン画像上の項目を前記第１の対応付け手段により特定して、前記スキャン画面上の項目を強調表示する強調表示手段と
して機能させるための情報入力支援プログラム。
【請求項２】
前記コンピュータを更に、
前記スキャン画像上で強調表示された項目の画像を切り出す画像切り出し手段と、
前記切り出した画像を前記入力画面上に表示させる切り出し画像表示手段と
して機能させるための請求項１記載の情報入力支援プログラム。
【請求項３】
前記コンピュータを更に、
前記切り出した画像の表示位置を前記入力画面上の入力欄と対応付ける第２の対応付け手段として更に機能させ、
前記切り出し画像表示手段は、前記切り出した画像の表示位置と対応付けられた前記入力画面上の入力欄を前記第２の対応付け手段により特定し、該特定した前記入力画面上の入力欄に対応付けられた表示位置に前記切り出した画像を表示させることを特徴とする請求項２記載の情報入力支援プログラム。
【請求項４】
前記第１の対応付け手段は、前記入力画面上の入力欄と前記スキャン画像上の項目とに加えて、前記強調表示の内容を対応付けており、
前記強調表示手段は、前記特定したスキャン画面上の項目に対応する前記強調表示の内容に従って、前記スキャン画面上の項目を強調表示することを特徴とする請求項１乃至３何れか一項記載の情報入力支援プログラム。
【請求項５】
情報を入力させる入力欄を含む入力画面を表示手段に表示させ、該入力画面上で選択された入力欄を特定する入力画面制御手段と、
スキャン画像を前記表示手段に表示させるスキャン画像表示手段と、
前記入力画面上の入力欄と前記スキャン画像上の項目とを対応付ける第１の対応付け手段と、
前記特定した入力欄に対応する前記スキャン画像上の項目を前記第１の対応付け手段により特定して、前記スキャン画面上の項目を強調表示する強調表示手段と
を有する情報入力支援装置。
【発明の詳細な説明】
【技術分野】
【０００１】
本発明は画像として表されている情報のコンピュータへの入力を支援する情報入力支援プログラム及び情報入力支援装置に関する。
【背景技術】
【０００２】
例えばウェブ入力画面で要求される個人情報の入力において、予め登録された複数項目の個人情報を一覧表示した入力用ダイアログボックスと複数の入力先テキストボックスとを併存して表示することで、入力先テキストボックスへの個人情報の入力の手間を軽減する技術は従来から知られている（例えば特許文献１参照）。
【先行技術文献】
【特許文献】
【０００３】
【特許文献１】特開２００６−３５０７６７号公報
【発明の概要】
【発明が解決しようとする課題】
【０００４】
例えば書面で作成された申請書の内容は人手によりパソコン等のコンピュータに入力されることで電子化される。書面で作成された申請書の内容を人手によりパソコン等のコンピュータを利用して入力するシステムには、ＯＣＲ（Optical Character Reader）等の文字認識機能を利用して、読み取った文字を入力フィールドに初期表示するものがある。
【０００５】
しかしながら、文字認識機能を用意していない場合は、人が書面で作成された申請書を見ながら、それぞれの項目を手動でパソコン等のコンピュータに入力しなければならないという問題があった。また、文字認識機能を用意している場合でも、文字認識の信頼度は１００％でないため、人による目視が必要となっている。
【０００６】
結果、書面で作成された申請書の内容をパソコン等のコンピュータに入力する操作者は書面で作成された申請書と、コンピュータの画面上の入力ウインドウとの間で視線を交互に移動させなければならなかった。また、書面で作成された申請書のフォーマットとコンピュータの画面上の入力ウインドウの配置とは必ずしも一致していないため、操作者は申請書の項目とコンピュータの画面上の入力ウインドウとの対応が一目で分からず、入力作業の効率を向上できないという問題があった。
【０００７】
本発明の一実施形態は、画像として表されている情報のコンピュータへの入力作業の効率を向上することができる情報入力支援プログラム及び情報入力支援装置を提供することを目的とする。
【課題を解決するための手段】
【０００８】
上記課題を解決するため、本発明の一実施形態は、コンピュータを、情報を入力させる入力欄を含む入力画面を表示手段に表示させ、該入力画面上で選択された入力欄を特定する入力画面制御手段と、スキャン画像を前記表示手段に表示させるスキャン画像表示手段と、前記入力画面上の入力欄と前記スキャン画像上の項目とを対応付ける第１の対応付け手段と、前記特定した入力欄に対応する前記スキャン画像上の項目を前記第１の対応付け手段により特定して、前記スキャン画面上の項目を強調表示する強調表示手段として機能させるための情報入力支援プログラムである。
【０００９】
なお、本発明の一実施形態の構成要素、表現又は構成要素の任意の組合せを、方法、装置、システム、コンピュータプログラム、記録媒体、データ構造などに適用したものも本発明の態様として有効である。
【発明の効果】
【００１０】
本発明の一実施形態によれば、画像として表されている情報のコンピュータへの入力作業の効率を向上することができる。
【図面の簡単な説明】
【００１１】
【図１】情報入力支援システムの一例の構成図である。
【図２】情報入力支援システムの他の例の構成図である。
【図３】クライアントＰＣの一例のハードウェア構成図である。
【図４】本実施例の情報入力支援システムの一例のブロック図である。
【図５】入力画面項目と申請書画像位置紐付け定義テーブルの一例の構成図である。
【図６】切り出し画像強調表示定義テーブルの一例の構成図である。
【図７】申請情報入力アシスト部の処理手順を表した一例のシーケンス図である。
【図８】入力画面及びスキャン画像を含む画面の一例のイメージ図である。
【図９】入力画面上の入力フィールドが特定された後の入力画面及びスキャン画像を含む画面の一例のイメージ図である。
【図１０】入力画面上の入力フィールドが特定された後の入力画面及びスキャン画像を含む画面の他の例のイメージ図である。
【図１１】入力画面上の入力フィールドが特定された後の入力画面及びスキャン画像を含む画面の他の例のイメージ図である。
【図１２】入力画面上の入力フィールドが特定された後の入力画面及びスキャン画像を含む画面の他の例のイメージ図である。
【図１３】入力画面上の入力フィールド以外が特定された後の入力画面及びスキャン画像を含む画面の一例のイメージ図である。
【発明を実施するための形態】
【００１２】
次に、本発明を実施するための形態を、以下の実施例に基づき図面を参照しつつ説明していく。なお、本実施例では情報の一例として、書面で作成された申請書の内容（申請書に記載されている項目）を例に説明していくが、書面で作成された如何なる書類の内容であってもよい。
【００１３】
（システム構成）
図１は情報入力支援システムの一例の構成図である。図１の情報入力支援システム１は大規模システムの一例である。情報入力支援システム１は１つ以上のスキャナ１１及びクライアントＰＣ１２と、アプリケーション（ＡＰ）サーバ１３と、データベース（ＤＢ）サーバ１４と、データベース（ＤＢ）１５と、インターネットやＬＡＮ等のネットワーク１６を有する。
【００１４】
スキャナ１１はクライアントＰＣ１２に接続されている。スキャナ１１は申請書１０がセットされる。スキャナ１１はクライアントＰＣ１２からの要求に応じて、申請書１０をスキャンし、スキャン画像をクライアントＰＣ１２に送信する。
【００１５】
クライアントＰＣ１２は操作者からの指示によりスキャナ１１を制御し、スキャナ１１から申請書１０のスキャン画像を受信する。クライアントＰＣ１２には後述のクライアント機能が搭載されている。クライアントＰＣ１２は操作者からの指示により、申請書１０の内容を入力する為の入力画面と申請書１０のスキャン画像とを共に表示する。
【００１６】
操作者はクライアントＰＣ１２を操作し、スキャン画像から申請書に記載されている項目を読み取って、その項目に対応する入力画面上の入力フィールドに入力する。クライアントＰＣ１２のクライアント機能は、操作者がスキャン画像から申請書に記載されている項目を読み取って、その項目に対応する入力画面上の入力フィールドに入力する作業を効率化する。具体的に、クライアントＰＣ１２は操作者が入力画面上の入力フィールドを特定すると、特性した入力フィールドに対応するスキャン画像上の項目を強調表示（例えば囲み線、下線、色、網掛けなど）する。
【００１７】
なお、本実施例における強調表示はスキャン画像上で注視すべき部分を目立たせる表示を言う。クライアントＰＣ１２は入力画面上の入力フィールドとスキャン画像上の項目との対応を設定情報としてＡＰサーバ１３から受信する。強調表示させることにより、操作者は特定した入力フィールドに対応するスキャン画像上の項目が一目で分かる。操作者は入力画面上の入力フィールドへ入力すべき項目が記載されているスキャン画像上の部分を容易に認識でき、入力作業の効率を向上できる。
【００１８】
クライアントＰＣ１２は、入力画面上の入力フィールドに入力されたスキャン画像上の項目（申請情報）を操作者からの指示により、ＡＰサーバ１３に送信する。クライアントＰＣ１２とＡＰサーバ１３とＤＢサーバ１４とは、ネットワーク１６を介して接続されている。ＡＰサーバ１３及びＤＢサーバ１４には後述のサーバ側機能が搭載されている。
【００１９】
ＡＰサーバ１３はクライアントＰＣ１２から申請情報を受信する。ＡＰサーバ１３は受信した申請情報をＤＢサーバ１４に送信する。また、ＡＰサーバ１３は上記した設定情報の設定を操作者から受け付け、設定情報をＤＢサーバ１４に送信する。ＤＢサーバ１４はＡＰサーバ１３から受信した申請情報をＤＢ１５に記録する。また、ＤＢサーバ１４はＡＰサーバ１３から受信した設定情報の管理を行う。なお、ＤＢサーバ１４は申請情報をクライアントＰＣ１２から受信するようにしてもよい。
【００２０】
図２は情報入力支援システムの他の例の構成図である。図２の情報入力支援システム２は小規模システム（スタンドアローンシステム）の一例である。情報入力支援システム２はスキャナ１１、クライアントＰＣ１２、データベース１５を有する。図２の情報入力支援システム２とは、クライアントＰＣ１２がクライアント機能、サーバ側機能の両方を搭載している点で図１の情報入力支援システム１と異なっている。そこで、図１の情報入力支援システム１と同一部分については、図２の情報入力支援システム２の説明を適宜省略する。
【００２１】
クライアントＰＣ１２は操作者からの指示によりスキャナ１１を制御し、スキャナ１１から申請書１０のスキャン画像を受信する。クライアントＰＣ１２は操作者からの指示により、申請書１０の内容を入力する為の入力画面と申請書１０のスキャン画像とを同時に表示する。クライアントＰＣ１２は入力画面上の入力フィールドを特定されると、特性された入力フィールドに対応するスキャン画像上の項目を強調表示する。クライアントＰＣ１２は入力画面上の入力フィールドとスキャン画像上の項目との対応を設定情報としてＤＢ１５から読み出す。
【００２２】
クライアントＰＣ１２は、入力画面上の入力フィールドに入力されたスキャン画像上の項目（申請情報）をＤＢ１５に記録する。また、クライアントＰＣ１２は上記した設定情報の設定を操作者から受け付ける。クライアントＰＣ１２は設定情報の管理を行う。
【００２３】
（クライアントＰＣ１２のハードウェア構成）
情報入力支援プログラムがインストールされているクライアントＰＣ１２は情報入力支援装置の一例である。ここでは、情報入力支援プログラムがインストールされているクライアントＰＣ１２のハードウェア構成を説明する。クライアントＰＣ１２は情報入力支援装置と同様の機能を有する情報入力支援プログラムを実行する。図３はクライアントＰＣ１２の一例のハードウェア構成図である。
【００２４】
クライアントＰＣ１２は入力装置２１、表示装置２２、クライアントＰＣ本体２３を有する。クライアントＰＣ本体２３はバス３７で相互に接続されている主記憶装置３１、演算処理装置３２、インターフェース装置３３、記録媒体読取装置３４及び補助記憶装置３５を有する。また、バス３７には入力装置２１及び表示装置２２が接続されている。
【００２５】
バス３７で相互に接続されている入力装置２１、表示装置２２、主記憶装置３１、演算処理装置３２、インターフェース装置３３、記録媒体読取装置３４及び補助記憶装置３５は、演算処理装置３２による管理下で相互にデータの送受を行うことができる。演算処理装置３２は、ＰＣクライアント１２全体の動作制御を司る中央処理装置である。
【００２６】
インターフェース装置３３はスキャナ１１、ＡＰサーバ１３、ＤＢサーバ１４等からのデータを受信し、データの内容を演算処理装置３２に渡す。インターフェース装置３３は演算処理装置３２からの指示に応じてスキャナ１１、ＡＰサーバ１３、ＤＢサーバ１４等にデータを送信する。
【００２７】
補助記憶装置３５には、情報入力支援装置と同様の機能をＰＣクライアント１２に発揮させるプログラムの一部として、少なくとも情報入力支援装置における情報入力支援処理をクライアントＰＣ１２に実行させる情報入力支援プログラムが記憶されている。
【００２８】
そして、演算処理装置３２が情報入力支援プログラムを補助記憶装置３５から読み出して実行することで、情報入力支援装置として機能するようになる。情報入力支援プログラムは演算処理装置３２とアクセス可能な主記憶装置３１に格納されていても良い。入力装置２１は演算処理装置３２の管理下でデータの入力を受付ける。情報入力支援プログラムはクライアントＰＣ１２が読み取り可能な記録媒体３６に記録しておくことができる。
【００２９】
記録媒体３６には、磁気記録媒体、光ディスク、光磁気記録媒体、半導体メモリなどがある。磁気記録媒体には、ＨＤＤ、フレキシブルディスク（ＦＤ）、磁気テープ（ＭＴ）などがある。光ディスクには、ＤＶＤ（Ｄｉｇｉｔａｌ  Ｖｅｒｓａｔｉｌｅ  Ｄｉｓｃ）、ＤＶＤ−ＲＡＭ、ＣＤ−ＲＯＭ（Ｃｏｍｐａｃｔ  Ｄｉｓｃ  −  Ｒｅａｄ  Ｏｎｌｙ  Ｍｅｍｏｒｙ）、ＣＤ−Ｒ（Ｒｅｃｏｒｄａｂｌｅ）／ＲＷ（ＲｅＷｒｉｔａｂｌｅ）などがある。また、光磁気記録媒体には、ＭＯ（Ｍａｇｎｅｔｏ  −  Ｏｐｔｉｃａｌ  ｄｉｓｋ）などがある。
【００３０】
情報入力支援プログラムを流通させる場合には、例えば、情報入力支援プログラムが記録されたＤＶＤ、ＣＤ−ＲＯＭなどの可搬型の記録媒体３６が販売されることが考えられる。
【００３１】
そして情報入力支援プログラムを実行するクライアントＰＣ１２は、例えば記録媒体読取装置３４が情報入力支援プログラムを記録した記録媒体３６から、情報入力支援プログラムを読み出す。演算処理装置３２は、読み出された情報入力支援プログラムを主記憶装置３１若しくは補助記憶装置３５に格納する。そして、クライアントＰＣ１２は、自己の記憶装置である主記憶装置３１若しくは補助記憶装置３５から情報入力支援プログラムを読み取り、情報入力支援プログラムに従った処理を実行する。
【００３２】
（ブロック構成）
図４は本実施例の情報入力支援システムの一例のブロック図である。図１の情報入力支援システム１ではクライアント機能４１がクライアントＰＣ１２に搭載され、サーバ側機能４２がＡＰサーバ１３及びＤＢサーバ１４に搭載されている。図２の情報入力支援システム２ではクライアント機能４１、サーバ側機能４２がクライアントＰＣ１２に搭載されている。ここでは、図２の情報入力支援システム２に搭載されたクライアント機能４１及びサーバ側機能４２を一例として説明する。
【００３３】
クライアント機能４１はスキャナ制御部５１、申請情報入力アシスト部５２、申請情報送信部５３を有する。また、申請情報入力アシスト部５２は、入力画面制御部７１、申請書イメージ表示部７２、切り取り強調画像表示部７３、強調画像切り取り部７４、強調表示部７５、強調位置、強調方法定義取得部７６、顔画像付け替え部７７を有する。
【００３４】
スキャナ制御部５１は演算処理装置３２がスキャナドライバを実行することにより実現される。申請情報入力アシスト部５２及び申請情報送信部５３は、演算処理装置３２が情報入力支援プログラムを実行することにより実現される。
【００３５】
サーバ側機能４２は申請情報受信部６１、申請情報チェック部６２、許可証等発行部６３を有する。申請情報受信部６１、申請情報チェック部６２、許可証等発行部６３は演算処理装置３２が情報入力支援プログラムを実行することにより実現される。
【００３６】
クライアント機能４１は操作者による申請情報の入力を支援し、入力された申請情報をサーバ側機能に送信するものである。サーバ側機能４２はクライアント機能４２から申請情報を受信し、ＤＢ１５に記録する。また、サーバ側機能４２は受信した申請情報に対して所定のチェックを行い、そのチェック結果に基づいて許可証等を発行する。
【００３７】
スキャナ制御部５１は申請情報入力アシスト部５２からの要求によりスキャナ１１を制御し、スキャナ１１から申請書１０のスキャン画像を受信する。スキャナ制御部５１はスキャナ１１から受信した申請書１０のスキャン画像を申請情報入力アシスト部５２に送信する。
【００３８】
申請情報入力アシスト部５２の入力画面制御部７１は操作者からの指示により、申請書１０の内容を入力する為の入力画面を表示装置２２に表示させる。申請書イメージ表示部７２は、受信した申請書１０のスキャン画像を入力画面と共に（見比べることができるように）表示装置２２に表示させる。
【００３９】
強調表示部７５は、操作者が入力画面上の入力フィールドを特定（フォーカス）したときに、特定した入力フィールドに対応するスキャン画像上の項目を設定情報に従って強調表示する。強調画像切り取り部７４は、強調表示したスキャン画像上の項目を設定情報に従って切り取る。切り取り強調画像表示部７３は、切り取った強調表示したスキャン画像上の項目を設定情報に従って入力画面の入力フィールド付近に表示する。
【００４０】
強調位置、強調方法定義取得部７６は、ＤＢ１５から強調位置、強調方法を定義する後述の設定情報を取得して、切り取り強調画像表示部７３、強調画像切り取り部７４、強調表示部７５に送信する。顔画像付け替え部７７は、操作者が入力画面上の顔画像を特定したとき、操作者からの指示により入力画面上の顔画像を付け替える。操作者が入力画面上の顔画像を特定したとき、入力画面の顔画像付近には、スキャン画像上の顔画像が切り取り強調画像表示部７３によって表示される。申請情報送信部５３は入力画面に入力された申請情報をサーバ側機能４２に送信する。
【００４１】
サーバ側機能４２の申請情報受信部６１は入力画面に入力された申請情報をクライアント機能４１から受信する。サーバ側機能４２はクライアント機能４２から受信した申請情報をＤＢ１５に記録する。サーバ側機能４２の申請情報チェック部６２は受信した申請情報に対して所定のチェックを行う。また、許可証等発行部６３は申請情報チェック部６２によるチェック結果に基づいて許可証等を発行する。
【００４２】
ＤＢ１５は申請情報を記録すると共に、設定情報として後述の入力画面項目と申請書画像位置紐付け定義テーブル及び切り出し画像強調表示定義テーブルを記録する。ＤＢ１５に記録されている入力画面項目と申請書画像位置紐付け定義テーブル及び切り出し画像強調表示定義テーブルは、例えば図５、図６に示すような構成である。
【００４３】
図５は入力画面項目と申請書画像位置紐付け定義テーブルの一例の構成図である。図５の入力画面項目と申請書画像位置紐付け定義テーブル（以下、紐付け定義テーブルと略称する）は、項目として、項目名、入力開始位置、入力終了位置、強調開始位置、強調終了位置、強調方法、強調色を有する。
【００４４】
項目名は項目の名称である。入力開始位置及び入力終了位置は入力フィールドの入力画面上での表示位置を表す。強調開始位置及び強調終了位置は強調表示のスキャン画像上での位置を表す。強調方法は楕円、矩形、下線、円など、強調表示の形態を表す。強調色は赤、青など、強調表示の色を表す。
【００４５】
図６は切り出し画像強調表示定義テーブルの一例の構成図である。図６の切り出し画像強調表示定義テーブルは、項目として、項目名、画像切り出し有無、切り出し画像表示位置を有する。項目名は項目の名称である。画像切り出し有無は、強調表示したスキャン画像上の項目を切り取るか否かを表している。切り出し画像表示位置は、切り取った強調表示したスキャン画像の表示位置（方向、距離）を表している。
【００４６】
（システム処理手順）
ここでは、図２に示した情報入力支援システム２の処理手順について説明する。操作者はスキャナ１１及びクライアントＰＣ１２の電源を入れると共に、クライアント機能４１及びサーバ側機能４２を起動する。操作者はスキャンできるように、スキャナ１１に申請書１０をセットする。操作者は、例えば表示装置２２に表示されたスキャンボタン（図示せず）をクリックすることで、スキャナ１１に申請書１０をスキャンさせる。
【００４７】
スキャナ１１からスキャン画像を受信すると、申請情報入力アシスト部５２は図７に示すような処理を行う。図７は申請情報入力アシスト部の処理手順を表した一例のシーケンス図である。
【００４８】
ステップＳ１に進み、入力画面制御部７１は申請書１０の内容を入力する為の入力画面を表示装置２２に表示させる。なお、入力画面の表示は上記のスキャナボタンの表示と共に行ってもよい。また、申請書イメージ表示部７２は、受信した申請書１０のスキャン画像を入力画面と共に、表示装置２２に表示させる。
【００４９】
ステップＳ２に進み、入力画面制御部７１及び申請書イメージ表示部７２は操作者により特定（フォーカス）された位置（フォーカス位置）を、例えばイベント発生により取得する。入力画面制御部７１は入力画面上のフォーカス位置の入力フィールドが特定されていることを例えばカーソル表示などで操作者に認識させる。ステップＳ３に進み、申請書イメージ表示部７２はフォーカス位置を強調位置として強調表示部７５に通知する。
【００５０】
ステップＳ３の後、入力画面制御部７１及び申請書イメージ表示部７２は図７に示す処理を終了する。そして、入力画面制御部７１及び申請書イメージ表示部７２はフォーカス位置変更のイベント発生によりステップＳ２の処理から再開する。
【００５１】
ステップＳ４に進み、強調表示部７５は申請書イメージ表示部７２から強調位置通知を受信する。ステップＳ５に進み、強調表示部７５はフォーカス位置に対応する強調方法及び強調色を、紐付け定義テーブルから取得する。ステップＳ６に進み、強調表示部７５はフォーカス位置に対応する強調開始位置及び強調終了位置を紐付け定義テーブルから取得する。そして、強調表示部７５は取得した強調開始位置、強調終了位置、強調方法及び強調色に従って、申請書１０のスキャン画像上の項目、つまり強調開始位置と強調終了位置により特定された領域内の画像（以下、強調画像という）を強調表示する。
【００５２】
ステップＳ７に進み、強調表示部７５はステップＳ６で強調表示したスキャン画像上の強調画像の切り出し有無を、フォーカス位置に対応する切り出し画像強調表示定義テーブルの画像切り出し有無で確認する。強調表示部７５は強調画像の切り出しが無ければ図７に示す処理を終了する。
【００５３】
強調画像の切り出しが有れば、強調表示部７５はステップＳ８に進み、切り出す強調画像等を強調画像切り取り部７４に通知し、強調画像切り取り部７４に強調画像切り出し指示を行う。
【００５４】
ステップＳ９に進み、強調画像切り取り部７４は強調表示部７５から切り出す強調画像等を取得する。ステップＳ１０に進み、強調画像切り取り部７４は強調画像に対応する強調開始位置及び強調終了位置を紐付け定義テーブルから取得する。強調画像切り取り部７４は取得した強調開始位置及び強調終了位置に従って、強調画像を切り出す。
【００５５】
ステップＳ１１に進み、強調画像切り取り部７４はステップＳ１０で切り出した強調画像を主記憶装置３１、補助記憶装置３５などに保存する。ステップＳ１２に進み、強調画像切り取り部７４は切り取り強調画像表示部７３に、切り出した強調画像の表示を指示する切り出し強調画像表示指示を行う。ステップＳ１２の後、強調画像切り取り部７４は図７に示す処理を終了する。
【００５６】
ステップＳ１３に進み、切り取り強調画像表示部７３は強調画像切り取り部７４から切り出し強調画像表示指示を受信すると、主記憶装置３１、補助記憶装置３５などから強調画像を取得する。ステップＳ１４に進み、切り取り強調画像表示部７３はフォーカス位置に対応する切り出し画像強調表示定義テーブルから切り出し画像表示位置を取得する。
【００５７】
ステップＳ１５に進み、切り取り強調画像表示部７３はステップＳ１３で取得した強調画像を、ステップＳ１４で取得した切り出し画像表示位置に従って入力画面のフォーカス位置付近に表示する。ステップＳ１５の後、切り取り強調画像表示部７３は図７に示す処理を終了する。
【実施例１】
【００５８】
以下では、図１及び図２に示した情報入力支援システム２の処理手順について、表示装置２２に表示される入力画面及び申請書１０のスキャン画像のイメージ図を参照しつつ説明する。
【００５９】
図８は入力画面及びスキャン画像を含む画面の一例のイメージ図である。図８の画面１００は入力画面１０１と、申請書１０のスキャン画像１０２と、送信ボタン１０３とを有する。送信ボタン１０３は、入力画面１０１上の入力フィールド１０４Ａ〜１０４Ｆに入力されたスキャン画像１０２上の項目（申請情報）の送信指示を操作者から受け付けるものである。
【００６０】
図９は入力画面上の入力フィールドが特定された後の入力画面及びスキャン画像を含む画面の一例のイメージ図である。図９の画面１００は例えば操作者がマウス操作によりポインタ１０５を入力画面１０１の入力フィールド１０４Ａ上に移動させ、クリック等することにより入力フィールド１０４Ａが特定されている。特定された入力フィールド１０４Ａは例えばカーソル１０６の表示などで操作者に認識させる。
【００６１】
申請書１０のスキャン画像１０２は、特定された入力フィールド１０４Ａに対応する項目が例えば赤の囲み線１０７で強調表示される。したがって、操作者は入力画面１０１上の入力フィールド１０４Ａへ入力すべきスキャン画像１０２上の項目を、赤の囲み線１０７等の強調表示により容易に認識でき、入力作業の効率を向上できる。
【００６２】
図１０は入力画面上の入力フィールドが特定された後の入力画面及びスキャン画像を含む画面の他の例のイメージ図である。図１０の画面１００は図９の画面１００のように特定された入力フィールド１０４Ａに対応する項目が例えば赤の囲み線１０７で強調表示されたあと、更に、強調表示されたスキャン画像１０２上の項目（強調画像）１０８が切り出されて、特定された入力フィールド１０４Ａ付近に表示される。したがって、操作者は入力フィールド１０４Ａ付近に表示された強調画像１０８により、入力画面１０１上の入力フィールド１０４Ａへ入力すべきスキャン画像１０２上の項目を容易に認識でき、入力作業の効率を向上できる。
【００６３】
図１１は入力画面上の入力フィールドが特定された後の入力画面及びスキャン画像を含む画面の他の例のイメージ図である。図１１のイメージ図は図１０のイメージ図と強調画像１０８の表示位置が異なっている。強調画像１０８の表示位置は切り出し画像強調表示定義テーブルに定義されている。したがって、切り出し画像強調表示定義テーブルの定義を変更することにより、強調画像１０８は方向（例えば上下左右）及び距離を異ならせて入力フィールド１０４Ａ付近に表示できる。なお、強調画像１０８は最前面で表示されるものとする。
【００６４】
図１２は入力画面上の入力フィールドが特定された後の入力画面及びスキャン画像を含む画面の他の例のイメージ図である。図１２のイメージ図は、特定（フォーカス）が入力フィールド１０４Ａから入力フィールド１０４Ｂに移動した例を表している。
【００６５】
図１２の画面１００は例えば操作者がマウス操作によりポインタ１０５を入力画面１０１の入力フィールド１０４Ｂ上に移動させ、クリック等することにより入力フィールド１０４Ｂが特定されている。特定された入力フィールド１０４Ｂはカーソル１０６の表示などで操作者に認識させる。
【００６６】
例えば入力フィールド１０４Ａから入力フィールド１０４Ｂにフォーカスが移動した場合は、図１０又は図１１に示す赤の囲み線１０７等の強調表示、強調画像１０８が非表示となる。また、申請書１０のスキャン画像１０２は、特定された入力フィールド１０４Ｂに対応する項目が例えば赤の囲み線１０９で強調表示される。
【００６７】
特定された入力フィールド１０４Ｂに対応する項目が例えば赤の囲み線１０９で強調表示されたあと、更に、強調表示されたスキャン画像１０２上の項目（強調画像）１１０が切り出されて、特定された入力フィールド１０４Ｂ付近に表示される。
【００６８】
図１３は入力画面上の入力フィールド以外が特定された後の入力画面及びスキャン画像を含む画面の一例のイメージ図である。図１３の画面１００は特定された入力画面１０１上の顔画像１０４Ｇに対応するスキャン画像１０２上の顔画像が例えば赤の囲み線１１１で強調表示されたあと、更に、強調表示されたスキャン画像１０２上の顔画像が強調画像１１２として切り出されて、特定された顔画像１０４Ｇ付近に表示される。
【００６９】
したがって、操作者は顔画像１０４Ｇ付近に表示された強調画像１１２により、顔画像１０４Ｇを差し替えた後、差し替え前後の画像を容易に比較でき、入力作業の効率を向上できる。
【００７０】
（まとめ）
本実施例の情報入力支援システム１、２を利用することで、操作者は入力画面上で特定した入力フィールドに対応するスキャン画像上の項目が一目で分かり、スキャン画像上の項目をパソコン等のコンピュータに入力する作業の効率を向上できる。
【００７１】
本発明は、以下に記載する付記のような構成が考えられる。
（付記１）
コンピュータを、
情報を入力させる入力欄を含む入力画面を表示手段に表示させ、該入力画面上で選択された入力欄を特定する入力画面制御手段と、
スキャン画像を前記表示手段に表示させるスキャン画像表示手段と、
前記入力画面上の入力欄と前記スキャン画像上の項目とを対応付ける第１の対応付け手段と、
前記特定した入力欄に対応する前記スキャン画像上の項目を前記第１の対応付け手段により特定して、前記スキャン画面上の項目を強調表示する強調表示手段と
して機能させるための情報入力支援プログラム。
（付記２）
前記コンピュータを更に、
前記スキャン画像上で強調表示された項目の画像を切り出す画像切り出し手段と、
前記切り出した画像を前記入力画面上に表示させる切り出し画像表示手段と
して機能させるための付記１記載の情報入力支援プログラム。
（付記３）
前記コンピュータを更に、
前記切り出した画像の表示位置を前記入力画面上の入力欄と対応付ける第２の対応付け手段として更に機能させ、
前記切り出し画像表示手段は、前記切り出した画像の表示位置と対応付けられた前記入力画面上の入力欄を前記第２の対応付け手段により特定し、該特定した前記入力画面上の入力欄に対応付けられた表示位置に前記切り出した画像を表示させることを特徴とする付記２記載の情報入力支援プログラム。
（付記４）
前記第１の対応付け手段は、前記入力画面上の入力欄と前記スキャン画像上の項目とに加えて、前記強調表示の内容を対応付けており、
前記強調表示手段は、前記特定したスキャン画面上の項目に対応する前記強調表示の内容に従って、前記スキャン画面上の項目を強調表示することを特徴とする付記１乃至３何れか一項記載の情報入力支援プログラム。
（付記５）
情報を入力させる入力欄を含む入力画面を表示手段に表示させ、該入力画面上で選択された入力欄を特定する入力画面制御手段と、
スキャン画像を前記表示手段に表示させるスキャン画像表示手段と、
前記入力画面上の入力欄と前記スキャン画像上の項目とを対応付ける第１の対応付け手段と、
前記特定した入力欄に対応する前記スキャン画像上の項目を前記第１の対応付け手段により特定して、前記スキャン画面上の項目を強調表示する強調表示手段と
を有する情報入力支援装置。
【００７２】
本実施例における情報入力支援プログラムは、パッケージソフトの他、ＷＥＢサービス等によっても提供可能である。なお、特許請求の範囲に記載した入力画面制御手段は入力画面制御部７１に相当し、スキャン画像表示手段は申請書イメージ表示部７２に相当し、第１の対応付け手段は入力画面項目と申請書画像位置紐付け定義テーブルに相当し、強調表示手段は強調表示部７５に相当し、画像切り出し手段は強調画像切り取り部７４に相当し、切り出し画像表示手段は切り取り強調画像表示部７３に相当し、第２の対応付け手段は切り出し画像強調表示定義テーブルに相当する。
【符号の説明】
【００７３】
１、２    情報入力支援システム
１０    申請書
１１    スキャナ
１２    クライアントＰＣ
１３    アプリケーション（ＡＰ）サーバ
１４    データベース（ＤＢ）サーバ
１５    データベース（ＤＢ）
１６    ネットワーク
２１    入力装置
２２    表示装置
２３    クライアントＰＣ本体
３１    主記憶装置
３２    演算処理装置
３３    インターフェース装置
３４    記録媒体読取装置
３５    補助記憶装置
３６    記録媒体
３７    バス
４１    クライアント機能
４２    サーバ側機能
５１    スキャナ制御部
５２    申請情報入力アシスト部
５３    申請情報送信部
６１    申請情報受信部
６２    申請情報チェック部
６３    許可証等発行部
７１    入力画面制御部
７２    申請書イメージ表示部
７３    切り取り強調画像表示部
７４    強調画像切り取り部
７５    強調表示部
７６    強調位置、強調方法定義取得部
７７    顔画像付け替え部
１００    画面
１０１    入力画面
１０２    スキャン画像
１０３    送信ボタン
１０４Ａ〜１０４Ｆ    入力フィールド
１０４Ｇ    顔画像
１０５    ポインタ
１０６    カーソル
１０７、１０９、１１１    赤の囲み線
１０８、１１０、１１２    強調画像
【図１】
2011248592.tif 000003
【図２】
2011248592.tif 000004
【図３】
2011248592.tif 000005
【図４】
2011248592.tif 000006
【図５】
2011248592.tif 000007
【図６】
2011248592.tif 000008
【図７】
2011248592.tif 000009
【図８】
2011248592.tif 000010
【図９】
2011248592.tif 000011
【図１０】
2011248592.tif 000012
【図１１】
2011248592.tif 000013
【図１２】
2011248592.tif 000014
【図１３】
2011248592.tif 000015